(57)【要約】【課題】  従来の冷凍サイクルにおいては、冷凍サイクル内の鉄粉から自己保持電磁弁を保護するために、自己保持電磁弁の上流に吸着捕集手段を設けているが、異物の発生場所を特定していないため、冷凍サイクル内に異物が散乱し、効率よく捕集できないという問題があり、特に、延長配管使用の冷凍サイクルにおいては延長配管は再利用されることが多く、延長配管からの異物の散乱が著しくなるという問題があった。【解決手段】  本発明の冷凍空調装置の冷凍サイクルは、圧縮機１１、熱源側の熱交換器１３及び絞り機構部１４を備えた熱源側ユニット１、及び利用側の熱交換器２３を備えた利用側ユニット２を液側延長配管３及びガス側延長配管４により接続した冷凍空調装置において、異物を捕捉する異物捕捉装置１５を、両延長配管３、４と熱源側ユニット１との接続部の近傍に設置したものである。【選択図】図１
2006207959.tif 000002
【特許請求の範囲】
【請求項１】
圧縮機、熱源側の熱交換器及び絞り機構部を備えた熱源側ユニット、及び利用側の熱交換器を備えた利用側ユニットを液側延長配管及びガス側延長配管により接続した冷凍空調装置において、
異物を捕捉する異物捕捉装置を、前記両延長配管と前記熱源側ユニットとの接続部の近傍に設置したことを特徴とする冷凍空調装置。
【請求項２】
前記異物捕捉装置を、前記両延長配管及び前記熱源側ユニットの接続部の近傍で、冷凍サイクルの主回路に並列に接続した副回路に設置したことを特徴とする請求項１に記載の冷凍空調装置。
【請求項３】
前記異物捕捉装置は、前後の配管の配管径より大きな配管径の配管内で異物を捕捉するものであることを特徴とする請求項１又は請求項２に記載の冷凍空調装置。
【請求項４】
前記異物捕捉装置は、永久磁石を収容した網目状のメッシュで異物を捕捉するものであることを特徴とする請求項１又は請求項２に記載の冷凍空調装置。
【請求項５】
前記異物捕捉装置は、網目状のメッシュに、前記永久磁石と共に多孔金属又はコイルを収容したものであることを特徴とする請求項４に記載の冷凍空調装置。
【請求項６】
前記永久磁石は、フェライト磁石又は希土類磁石であることを特徴とする請求項４又は請求項５に記載の冷凍空調装置。
【請求項７】
前記網目状のメッシュ、前記多孔金属及び前記コイルは、磁性体であることを特徴とする請求項４又は請求項５に記載の冷凍空調装置。
【請求項８】
前記異物捕捉装置を設置した前記副回路は開閉弁を備え、該開閉弁は冷凍空調装置の試運転時及び運転開始時のみ、制御装置により所定の時間開となることを特徴とする請求項２に記載の冷凍空調装置。
【請求項９】
前記副回路は、前記主回路に配管着脱を可能とする配管接続部により接続したことを特徴とする請求項２に記載の冷凍空調装置。
【発明の詳細な説明】
【技術分野】
【０００１】
本発明は、住宅やビルの空調装置及び食品の冷凍や冷蔵に用いられる冷凍装置等の冷凍空調装置の冷凍サイクル内の異物を取り除くため、異物捕捉装置を設けた冷凍空調装置に関するものである。特に、既設の延長配管の異物を除去し、既設の延長配管の再利用を可能とする技術に関するものである。
【背景技術】
【０００２】
冷凍サイクル内の異物の除去に関する技術を開示する文献は多数あり、一例として次のものがある。
冷媒が循環し冷凍サイクルを構成する自己保持電磁弁の上流側に、冷媒内の鉄粉を磁石により吸着捕集する手段を設け、この磁石により冷媒内の鉄粉を吸着捕集し、自己保持電磁弁に悪影響が起きないようにする（例えば、特許文献１参照）。
【特許文献１】特開平１１−３１１４６０号公報（第３頁、第４頁、図１〜図７）
【発明の開示】
【発明が解決しようとする課題】
【０００３】
上記従来の特許文献１の冷凍サイクルでは、冷凍サイクル内の鉄粉から自己保持電磁弁を保護するために、自己保持電磁弁の上流に吸着捕集手段を設けているが、異物の発生場所を特定していないため、冷凍サイクル内に異物が散乱してしまい効率よく捕集できないという問題があり、特に、室外機と室内機とを延長配管で接続した冷凍サイクルにおいては室外機や室内機の更新に際して、延長配管は再利用されることが多く、延長配管からの異物の散乱が著しくなるという問題があった。
【０００４】
本発明は、上記のように冷凍サイクルの室外機と室内機とを接続する延長配管が、室外機や室内機の更新に際して、再利用されることに鑑みなされたものであり、延長配管の使用に際し、延長配管内の鉄粉等の異物が冷凍サイクル内にできるだけ散乱しないようにし、異物が圧縮機等を備えた室外機に混入するのを防止する異物捕捉装置を有する冷凍空調装置を得ることを目的とする。
また、異物の捕捉が確実で、捕捉効率が良い異物捕捉装置を有する冷凍空調装置を得ることを目的とする。
また、鉄粉の捕捉効率の良い異物捕捉装置を有する冷凍空調装置を得ることを目的とする。
また、一旦捕捉した異物を冷凍サイクルに再流出することのない異物捕捉装置を有する冷凍空調装置を得ることを目的とする。
【課題を解決するための手段】
【０００５】
本発明の冷凍空調装置は、圧縮機、熱源側の熱交換器及び絞り機構部を備えた熱源側ユニット、及び利用側の熱交換器を備えた利用側ユニットを液側延長配管及びガス側延長配管により接続した冷凍空調装置において、異物を捕捉する異物捕捉装置を、両延長配管と熱源側ユニットとの接続部の近傍に設置したものである。
【発明の効果】
【０００６】
本発明の冷凍空調装置は、異物を捕捉する異物捕捉装置を、両延長配管と熱源側ユニットとの接続部の近傍に設置したので、液側延長配管及びガス側延長配管にたまった異物が熱源側ユニットに混入することが防止でき、熱源側ユニットの圧縮機の摺動部の焼き付きや異常摩耗が防止でき、また絞り機構部の詰まりが防止できる。
【発明を実施するための最良の形態】
【０００７】
実施の形態１．
図１は、実施の形態１の冷凍空調装置の冷凍サイクルを示す図であり、図２は、図１の冷凍サイクルに設けた異物捕捉装置を示す断面図であり、図３は、同じく別の異物捕捉装置を示す断面図であり、図４は、同じく更に別の異物捕捉装置を示す断面図である。
【０００８】
本実施の形態の冷凍空調装置は、図１の冷凍サイクルに示すように、室外機１、室内機２及び両者を配管接続する延長配管である液側延長配管３とガス側延長配管４から構成される。
室外機１としては、圧縮機１１、四方弁１２、室外熱交換器１３及び絞り機構１４が配管接続されている。室外熱交換器１３には、送風機１９が備えられている。また、室外機１の両配管末端には、それぞれ、液側延長配管３の一端を接続する接続部である室外機側の液側延長配管接続部１７及びガス側延長配管４の一端を接続する接続部である室外機側のガス側延長配管１８が配管接続されている。
室内機２は、送風機２９を備えた室内熱交換器２３を有する。そして、室内機２の両配管の配管末端には、それぞれ、液側延長配管３の他端を接続する接続部である室内機側の液側延長配管接続部２７及びガス側延長配管４の他端を接続する接続部である室内機側のガス側延長配管接続部２８が配管接続されている。
これらの接続部である室外機側の液側延長配管接続部１７、室外機側のガス側延長配管１８、室内機側の液側延長配管接続部２７及び室内機側のガス側延長配管接続部２８は、図１（ｂ）、図１（ｃ）の部分図に示すように、ジョイント（オネジ）とフレアナット（メネジ）との組合せより形成される。
【０００９】
これらの室外機１及び室内機２は、室外機側の液側延長配管接続部１７及び室内機側の液側延長配管接続部２７間に液側延長配管３を接続し、また、室外機側のガス側延長配管１８及び室内機側のガス側延長配管２８間にガス側延長配管４を接続することにより、配管接続され冷凍サイクルを形成する。
また、室外機１の配管で、室外機側の液側延長配管接続部１７及び室外機側のガス側延長配管１８のそれぞれの近傍に異物捕捉装置１５を設けている。
【００１０】
次に、本冷凍空調装置の動作を説明する。
暖房運転においては、圧縮機１１から吐出された高温高圧の冷媒は、四方弁１２にて冷媒の流れ方向を切り替えられ、ガス側の異物捕捉装置１５、ガス側延長配管４を通って、室内熱交換器２３に導かれる。室内熱交換器２３は、冷媒が流れる冷媒管と送風機２９により空気が通過するフィン（いずれも図示せず）とから成り、フィンを通過する空気により凝縮熱が奪われ、冷媒は低温になり液化する。液化した高圧冷媒は、液側延長配管３、液側の異物捕捉装置１５を通り、絞り機構部１４にて蒸発しやすいように低圧に減圧され、室外熱交換器１３に導かれる。室外熱交換器１３は、冷媒が流れる冷媒管とファン１９により空気が通過するフィン（いずれも図示せず）とから成り、フィンを通過する空気により蒸発熱が与えられ、冷媒はガス化する。ガス化した冷媒は、再び四方弁１２を介して圧縮機１１に戻る。
【００１１】
冷房運転においては、圧縮機１１から吐出された高温高圧の冷媒は、四方弁１２にて冷媒の流れ方向を切り替えられ、室外熱交換器１３に導かれる。室外熱交換器１３は、冷媒が流れる冷媒管と送風機１９により空気が通過するフィン（いずれも図示せず）とから成り、フィンを通過する空気により凝縮熱が取り除かれ、冷媒は低温になり液化する。絞り機構部１４は抵抗として働き、液化した高圧の冷媒は蒸発しやすいように低圧に減圧される。減圧された冷媒は、液側の異物捕捉装置１５、液側延長配管３を通って室内熱交換器２３に導かれる。室内熱交換器２３は、冷媒が流れる冷媒管とファン２９により空気が通過するフィン（いずれも図示せず）とから成り、フィンを通過する空気により蒸発熱が与えられ、冷媒はガス化する。ガス化した冷媒は、ガス側延長配管４、ガス側の異物捕捉装置１５を通って、再び四方弁１２を介して圧縮機１１に戻る。
【００１２】
これらの暖房、冷房運転時に、液側の異物捕捉装置１５及びガス側の異物捕捉装置１５は、冷媒と共に流れる異物を捕捉する。特に、暖房運転時には、液側の異物捕捉装置１５が液側延長配管３及びガス側延長配管４内の異物を捕捉し、また、冷房運転時には、ガス側の異物捕捉装置１５が液側延長配管３及びガス側延長配管４内の異物を捕捉し、室外機１側に異物の混入するのを防止する。
【００１３】
次に、異物捕捉装置１５の具体的構造を説明する。
図２は、異物捕捉装置１５の一例であり、前後の配管１６より配管径（流路断面）を急激に拡大し、異物を捕捉する領域を形成する径大配管部１５ａ内に冷媒の流れに対向して開口し、流れ方向に徐々に開口面積を小さくする袋状のメッシュ１５ｂを設け、また、この袋状のメッシュ１５ｂ内の底部側に同じく冷媒の流れに対向して開口する袋状の内側メッシュ１５ｃを設け、さらに、この内側メッシュ１５ｃの底部に永久磁石１５ｄを設置する。
ここで、メッシュ１５ｂは、５０メッシュ乃至１００メッシュ程度の網目状のメッシュであり、また、内側メッシュ１５ｃは、メッシュ１５ｂより目が細かい、例えば２００メッシュ程度のメッシュである。これらのメッシュ１５ｂ、１５ｃは磁性体である。
永久磁石１５ｄは、フェライト磁石又は希土類磁石である。
また、室外機側の液側延長配管接続部１７及び室外機側のガス側延長配管接続部１８のそれぞれの近傍に設けた異物捕捉装置１５のメッシュ１５ｂ及び内側メッシュ１５ｃの開口方向は、いずれも接続部１７、１８が接続した延長配管３、４側に開口するように設置する（以下、図３及び図４の異物捕捉装置も同様である）。
【００１４】
このような構造により、目の細かい内側メッシュ５３と永久磁石５１により、酸化スケール、銅管の切断片や砂といった数百μｍ〜数ｍｍ程度の比較的大きな異物だけでなく、摩耗粉といった数十μｍ〜数百μｍ程度の粒径の小さい鉄粉を吸着捕捉する。
また、同一断面内で冷媒流速の大きくなる配管内径部に内側メッシュ５３と永久磁石５１を設けたことにより、また磁性体のメッシュ５２及び内側メッシュ５３が永久磁石５１により磁化されることにより、冷媒の流れと共に運ばれる粒径の小さい鉄粉を効率よく吸着捕捉する。
【００１５】
また、異物捕捉装置１５は図３に示すように、図２の異物捕捉装置１５の袋状のメッシュ１５ｂの内側の底部に永久磁石１５ｄ及び磁性体である多孔金属１５ｅを設置するようにしてもよい。
本異物捕捉装置１５によれば、径大配管部１５ａにより冷媒流速が小さくなり、冷媒流速の小さな中にメッシュ５２、流路長さが大きく袋小路の構造を有する多孔金属５４及び永久磁石５１が設けられているので、酸化スケール、銅管の切断片や砂といった数百μｍ〜数ｍｍ程度の比較的大きな異物だけでなく、摩耗粉といった数十μｍ〜数百μｍ程度の粒径の小さい鉄粉を吸着捕捉する。
また、同一断面内で冷媒流速の大きくなる配管内径部に多孔金属１５ｅと永久磁石１５ｄを設けたことにより、また磁性体のメッシュ１５ｂと多孔金属１５ｅが永久磁石１５ｄにより磁化されることにより、冷媒の流れと共に運ばれる粒径の小さい鉄粉を効率よく吸着捕捉する。
【００１６】
また、異物捕捉装置１５として、図４に示すように、袋状のメッシュ１５ｂの内側の底部に永久磁石１５ｄ及び磁性体であるコイル１５ｆを設置するようにしてもよい。
本異物捕捉装置１５によれば、冷媒流速の小さな中に永久磁石１５ｄ及び線間に微小隙間を有するコイル１５ｆを設けたことにより、酸化スケール、銅管の切断片や砂といった数百μｍ〜数ｍｍ程度の比較的大きな異物だけでなく、摩耗粉といった数十μｍ〜数百μｍ程度の粒径の小さい鉄粉を吸着捕捉する。
また、同一断面内で冷媒流速の大きくなる配管内径部に永久磁石１５ｄ及びコイル１５ｆを設けたことにより、また磁性体のメッシュ１５ｂとコイル１５ｆが永久磁石１５ｄにより磁化されることにより、冷媒の流れと共に運ばれる粒径の小さい鉄粉を効率よく吸着捕捉する。
【００１７】
このように構成された冷凍空調装置によれば、液側延長配管３、ガス側延長配管４にある鉄粉等の異物は、冷房運転時はガス側の異物捕捉装置１５にて吸着捕捉され、また暖房運転時では液側の異物捕捉装置１５にて吸着捕捉されることにより、冷房、暖房の繰り返し運転があっても室内熱交換器２３を挟んだ両延長配管３、４間にて行き来することになり、室外機１側に混入することなく、圧縮機１１の摺動部の焼き付きや異常摩耗、四方弁１２の駆動部への噛み込み、絞り機構部１４の詰まりといった室外機１の故障を抑制できる。
【００１８】
さらに、既設の冷凍空調装置の故障等により新しい冷凍空調装置に更新工事する際に、既設の延長配管３、４中に摩耗粉、すなわち数十μｍ〜数百μｍ程度の粒径の小さい鉄粉が残存していても、既設の延長配管３、４の洗浄あるいは新品へ更新することなく、既設の延長配管３、４の再利用が可能となり、冷凍空調装置の更新工事をする際の費用や期間の削減、省資源化を実現できる。
【００１９】
本冷凍空調装置は、異物捕捉装置１５を室外機１の室外機側の液側延長配管接続部１７の近傍及び室外機１の室外機側のガス側延長配管接続部１８の近傍に設けているが、これに追加して、異物捕捉装置１５を同様に室内機２の室内機側の液側延長配管接続部２７の近傍及び室内機２の室内機側のガス側延長配管接続部２８の近傍に設置すれば、両延長配管３、４の異物を両延長配管３、４内に閉じ込めることが可能となる。
このようにすれば、室内機２にも両延長配管３、４から異物の散乱、混入がなく、室内機２に絞り機構１４を設けても絞り機構１４の詰まり等が防止できる。
【００２０】
なお、室外機側の液側延長配管接続部１７、室外機側のガス側延長配管接続部１８、室内機側の液側延長配管接続部２７及び室内機側のガス側延長配管接続部２８等の接続部は、室外機１または室内機２に設ける代りに、液側延長配管３及びガス側延長配管４に設けてもよい（以下の実施の形態２、３、４においても同様である。）。
【００２１】
本冷凍空調装置の異物捕捉装置１５は、前後の配管の配管径より大きな配管径の配管内で異物を捕捉するようにしたので、冷媒の流速を低下でき、冷媒と共に流れる異物の捕捉が確実となり、捕捉効率が向上する。
【００２２】
また、本異物捕捉装置１５は、永久磁石１５ｄを収容した網目状のメッシュ１５ｂ、１５ｃで異物を捕捉するので、冷媒に混入する鉄粉の捕捉が容易となる。
【００２３】
また、本異物捕捉装置１５は、網目状のメッシュ１５ｂ、１５ｃに、永久磁石１５ｄと共に多孔金属１５ｅ又はコイル１５ｆを収容したものであるので、異物捕捉性能が高くなる。
【００２４】
また、本異物捕捉装置１５の永久磁石１５ｄは、フェライト磁石又は希土類磁石としたので、大きな磁力特性により冷媒と共に流れる鉄粉等の異物を確実に捕捉できる。
【００２５】
また、本異物捕捉装置１５の網目状のメッシュ１５ｂ、１５ｃ、多孔金属１５ｅ及びコイル１５ｆは、磁性体であるので、永久磁石１５ｄと組合せることにより、冷媒と共に流れる鉄粉等の異物を確実に捕捉できる。
【００２６】
実施の形態２．
図５に実施の形態２の冷凍空調装置の冷凍サイクルを示す。
本冷凍空調装置は、実施の形態１の図１に示す冷凍サイクルにおいて、異物捕捉装置１５の設置位置を変更したものであり、その他の構成等は実施の形態１の冷凍空調装置と同じであるので、以下主として相違点を説明する。
【００２７】
本冷凍空調装置においては、実施の形態１の異物捕捉装置１５を、両延長配管３、４の端部で、室外機１の室外機側の液側延長配管接続部１７及び室外機側のガス側延長配管接続部１８のそれぞれの近傍に設置する。
このような本冷凍空調装置動作及び異物捕捉効果は、実施の形態１の冷凍空調装置と同じである。
また、異物捕捉装置１５を、これに追加して、同様に両延長配管３、４の端部で、室内機２の両配管端部の室内機側の液側延長配管接続部２７及び室内機側のガス側延長配管接続部２８のそれぞれの近傍に設置して両延長配管３、４の異物を両延長配管３、４内に閉じ込めることが可能となるのも同様である。
さらに、異物捕捉装置１５の設置に関しては、実施の形態１及び実施の形態２のそれぞれの設置場所を冷凍空調装置の実情に合わせて混合しても同様な効果が得られる。
【００２８】
実施の形態３．
図６に実施の形態３の冷凍空調装置の冷凍サイクルを示す。
本冷凍空調装置においては、室外機側の液側延長配管接続部１７の近傍に異物捕捉装置１５を備えた液側の副回路及び室外機側のガス側延長配管１８の近傍にガス側の副回路を設けたものである。
液側の副回路は、両端に配管接続部である液側フィルタ回路接続部３１ａ、３１ｂ、この液側フィルタ回路接続部３１ａ、３１ｂ間に室外機側の液側延長配管接続部１７側から開閉弁である液側フィルタ回路切替え弁３３ｂ及び異物捕捉装置１５の順に接続して構成される。この液側の副回路は、両端の液側フィルタ回路接続部３１ａ、３１ｂにより、主回路である室外機１の配管で、室外機側の液側延長配管接続部１７の近傍に接続される。また、液側フィルタ回路接続部３１ａ、３１ｂ間の主回路に主回路側の開閉弁である液側フィルタ回路切替え弁３３ａを設ける。
【００２９】
ガス側の副回路も同様に、配管接続部である両端のガス側フィルタ回路接続部３２ａ、３２ｂ、このガス側フィルタ回路接続部３２ａ、３２ｂ間に室外機側のガス側延長配管接続部１８側から開閉弁であるガス側フィルタ回路切替え弁３４ｂ及び異物捕捉装置１５の順に接続して構成される。このガス側の副回路は、両端のガス側フィルタ回路接続部３２ａ、３２ｂにより、主回路である室外機１の配管で、室外機側のガス側延長配管接続部１８の近傍に接続される。また、ガス側フィルタ回路接続部３２ａ、３２ｂ間の主回路に主回路側の開閉弁であるガス側フィルタ回路切替え弁３４ａを設ける。
このとき、副回路は、配管接続部３１ａ、３１ｂ、３２ａ、３２ｂにより主回路に配管着脱可能に接続される。
【００３０】
このように、本冷凍空調装置においては、液側の異物捕捉装置１５及びガス側の異物捕捉装置１５は、それぞれ、主回路と並列の液側の副回路及びガス側の副回路に接続され、液側フィルタ接続部３１ａ、３１ｂ及びガス側フィルタ接続部３２ａ、３２ｂにより主回路から切り離すことが可能である。
液側フィルタ接続部３１ａ、３１ｂ及びガス側フィルタ接続部３２ａ、３２ｂは、図６（ｂ）の部分図に示すように、それぞれジョイント（オネジ）とフレアナット（メネジ）との組合せにより形成される。
また、主回路と副回路への冷媒流れは、液側フィルタ回路切替え弁３３ａ、３３ｂ及びガス側回路切替え弁３４ａ、３４ｂの開閉により切り替えられる。これら弁３３ａ、３３ｂ、３４ａ、３４ｂの開閉動作は制御装置（図示せず）により自動制御され、試運転時及び運転開始時の所定時間は、主回路が閉で副回路が開の弁操作により液側の異物捕捉装置１５及びガス側の異物捕捉装置１５を含む副回路のみに冷媒が流れ、所定時間経過後は主回路が開となり、副回路が閉となる弁操作により主回路のみに冷媒が流れる。
その他の構成及び動作は、実施の形態１の冷凍空調装置と同様である。
【００３１】
このような冷凍空調装置によれば、両延長配管３、４にある異物や鉄粉は、試運転を含む運転初期の所定時間に、冷房運転時はガス側の異物捕捉装置１５により吸着捕捉され、また暖房運転時には液側の異物捕捉装置１５により吸着捕捉され、所定時間経過後は弁３３ａ、３３ｂ、３４ａ、３４ｂの開閉動作により、液側の異物捕捉装置１５及びガス側の異物捕捉装置１５を含む副回路は閉じられる。
さらに、所定時間経過後は、液側フィルタ接続部３１ａ、３１ｂならびにガス側フィルタ接続部３２ａ、３２ｂにより副回路を主回路から取り外すことで、液側の異物捕捉装置１５及びガス側の異物捕捉装置１５に吸着捕捉した鉄粉等の異物を再び主回路中に流出させることを防止できる。即ち、鉄粉等の異物が室外機１側に混入することなく、圧縮機１１の摺動部の焼き付きや異常摩耗、四方弁１２の駆動部への噛み込み、絞り機構部１４の詰まりといった室外機１の故障を抑制する。
【００３２】
本冷凍空調装置においては、異物捕捉装置１５を、両延長配管３、４と室外機１の接続部１７、１８の近傍で、室外機１の冷凍サイクルの主回路に並列に接続した副回路に設置したので、両延長配管３、４の異物を室外機１に流出することがない。
【００３３】
また、異物捕捉装置１５を設置した副回路は開閉弁３３ｂ、３４ｂを備え、該開閉弁３３ｂ、３４ｂは冷凍空調装置の試運転時及び運転開始時のみ、制御装置により所定の時間開となるので、冷凍空調装置の通常運転時は閉となり、捕捉した異物を再び冷凍サイクルに流出させることがない。
【００３４】
また、異物捕捉装置１５を備えた副回路は、主回路に配管着脱を可能とする配管接続部３１ａ、３１ｂ、３２ａ、３２ｂにより接続したので、冷凍空調装置の試運転時及び運転開始時の所定の時間に異物捕捉装置１５が異物捕捉した後は、副回路を取外すことにより、異物捕捉装置１５に捕捉された異物が再度冷凍サイクルに流出するのが防止できる。また、捕捉異物を除去して異物捕捉装置１５を清掃できる。
【００３５】
実施の形態４．
図７に実施の形態４の冷凍空調装置の冷凍サイクルを示す。
本冷凍空調装置は、液側の異物捕捉装置１５及びガス側の異物捕捉装置１５を含む、主回路と並列の液側の副回路及びガス側の副回路を、室外機１の配管で、室外機側の液側延長配管接続部１７及び室外機側のガス側延長配管１８のそれぞれの近傍に設置する代りに、図７に示すように、液側延長配管３及びガス側延長配管４で、室外機側の液側延長配管接続部１７及び室外機側のガス側延長配管接続部１８近傍に設置したものである。その他の構成、動作及び効果等は実施の形態３の冷凍空調装置と同様である。
実施の形態３、４の冷凍空調装置も実施の形態１、２の冷凍空調装置と同様に、液側延長配管３及びガス側延長配管４の両側に異物捕捉装置１５を設置することにより、同様に液側延長配管３及びガス側延長配管４の異物を液側延長配管３及びガス側延長配管４内に閉じ込めることができる。
【００３６】
なお、上記の実施の形態１〜４においては、冷凍空調装置として冷房、暖房により空調する空調装置の例で説明してきたが、食品の冷凍や冷蔵に用いられる冷凍装置の場合は、室内機２を冷凍用、冷蔵用のショーケース等とする他は同様でもよいが、四方弁１２を設けずに、ショーケース等の負荷側が冷却されるのみとしてもよい。この場合は、異物捕捉装置１５は、室外機側のガス側延長配管接続部１８の近傍に設置したガス側の異物捕捉装置１５のみとしても、両延長配管３、４の異物が室外機１側に混入されるのを防止できる。
さらに、上記のガス側の異物捕捉装置１５に加えて、室内機液側延長配管接続部２７の近傍に異物捕捉装置１５を設置することにより、液側延長配管３からの異物の室内機２への混入も防止でき、特に室内機に絞り機構部１４を設置しても絞り機構部１４の詰まりを防止できる。
【００３７】
また、上記の実施の形態１、２の冷凍空調装置において、異物捕捉装置１５を前記の接続部１７、１８、２７、２８の近傍に設置することにより吸着捕集した異物の除去及び異物捕捉装置１５の補修が容易となる。
【００３８】
なお、実施の形態１〜実施の形態４における室外機１が熱源側ユニットの例であり、また、室内機２及びショーケースが利用側ユニットの例である。そして、同じく室外熱交換器１３が熱源側の熱交換器の例であり、室内熱交換器２３及びショーケースの熱交換器が利用側の熱交換器の例である。
【図面の簡単な説明】
【００３９】
【図１】本発明の実施の形態１の冷凍空調装置の冷凍サイクルを示す図である。
【図２】図１の冷凍サイクルに設けた異物捕捉装置を示す断面図である。
【図３】図１の冷凍サイクルに設けた別の異物捕捉装置を示す断面図である。
【図４】図１の冷凍サイクルに設けた更に別の異物捕捉装置を示す断面図である。
【図５】本発明の実施の形態２の冷凍空調装置の冷凍サイクルを示す図である。
【図６】本発明の実施の形態３の冷凍空調装置の冷凍サイクルを示す図である。
【図７】本発明の実施の形態４の冷凍空調装置の冷凍サイクルを示す図である。
【符号の説明】
【００４０】
１  熱源側ユニット、２  利用側ユニット、３  液側延長配管、４  ガス側延長配管、１１  圧縮機、１３  熱源側の熱交換器、１４  絞り機構部、１５  異物捕捉装置、１５ｂ、１５ｃ  網目状のメッシュ、１５ｄ  永久磁石、１５ｅ  多孔金属、１５ｆ  コイル、１７、１８  接続部、２３  利用側の熱交換器、３１ａ、３１ｂ、３２ａ、３２ｂ  配管接続部、３３ａ、３３ｂ、３４ａ、３４ｂ  開閉弁。
【図１】
2006207959.tif 000003
【図２】
2006207959.tif 000004
【図３】
2006207959.tif 000005
【図４】
2006207959.tif 000006
【図５】
2006207959.tif 000007
【図６】
2006207959.tif 000008
【図７】
2006207959.tif 000009